(57)【特許請求の範囲】
【請求項１】
添加物を収容する第一の部材と切断手段を備えた第二の部材とから構成されたカートリッジにして、
該第一の部材は、円形上面壁と該上面壁の周縁から垂下する円筒形側壁とを有し、下面は開口されている収容体と、該収容体の該下面に付設されて該下面を閉塞する切断可能な閉塞片とを備え、
該第二の部材は、上面及び下面は開口されている円筒体から構成されており、該円筒体の内側に該切断手段が配設されており、
該収容体の外周面には被係止手段が配設され、該円筒体の内周面には上方係止手段と下方係止手段とが配設されており、
該被係止手段は周方向に間隔をおいて該収容体の該外周面から上方に向かって半径方向外方に傾斜して延出する複数個のフラップ片から構成されており、該上方係止手段及び該下方係止手段は該円筒体の該内周面に配設された環状突条から構成されており、
該第一の部材を該円筒体の該上面を通して該円筒体内に、該閉塞片が該切断手段よりも上方に位置する組み合せ位置まで部分的に挿入すると、該被係止手段を構成する該フラップ片が弾性的に変形して該上方係止手段を超えてその下方に移動し、該被係止手段と該上方係止手段とが協働して該第一の部材が該円筒体に対して上方に移動することが阻止され、
該第一の部材を該円筒体に対して該組み合せ位置を超えて排出位置まで下降せしめると、該切断手段が該閉塞片に作用して該閉塞片を切断し、該収容体内に収容されていた添加物が該収容体の該下面から排出されると共に、該被係止手段を構成する該フラップ片が弾性的に変形して該下方係止手段を超えてその下方に移動し、該被係止手段と該下方係止手段とが協働して該第一の部材が該円筒体に対して上方に移動することが阻止される、
ことを特徴とするカートリッジ。
【請求項２】
該収容体の該外周面における、周方向において該フラップ片の間には半径方向に突出する弧状フランジが配設されており、該第一の部材を該組み合せ位置まで該円筒体内に挿入すると、該弧状フランジと該下方係止手段が協働して、該第一の部材が該組み合せ位置を超えて下降することが弾性的に解除自在に阻止される、請求項１記載のカートリッジ。
【請求項３】
添加物を収容する第一の部材と切断手段を備えた第二の部材とから構成されたカートリッジにして、
該第一の部材は、円形上面壁と該上面壁の周縁から垂下する円筒形側壁とを有し、下面は開口されている収容体と、該収容体の該下面に付設されて該下面を閉塞する切断可能な閉塞片とを備え、
該第二の部材は、上面及び下面は開口されている円筒体から構成されており、該円筒体の内側に該切断手段が配設されており、
該収容体の外周面には被係止手段が配設され、該円筒体の内周面には上方係止手段と下方係止手段とが配設されており、
該第一の部材を該円筒体の該上面を通して該円筒体内に、該閉塞片が該切断手段よりも上方に位置する組み合せ位置まで部分的に挿入すると、該被係止手段と該上方係止手段とが協働して該第一の部材が該円筒体に対して上方に移動することが阻止され、
該収容体の外周面には半径方向に延出した制限片が分離可能に配設されており、該第一の部材を該組み合せ位置まで該収容体内に挿入すると、該制限片が該円筒体の上縁に当接して、該第一の部材が該組み合せ位置を超えて下降することが阻止され、
該制限片を分離して該第一の部材を該円筒体に対して該組み合せ位置を超えて排出位置まで下降せしめると、該切断手段が該閉塞片に作用して該閉塞片を切断し、該収容体内に収容されていた添加物が該収容体の該下面から排出されると共に、該被係止手段と該下方係止手段とが協働して該第一の部材が該円筒体に対して上方に移動することが阻止される、
ことを特徴とするカートリッジ。
【請求項４】
添加物を収容する第一の部材と切断手段を備えた第二の部材とから構成されたカートリッジにして、
該第一の部材は、円形上面壁と該上面壁の周縁から垂下する円筒形側壁とを有し、下面は開口されている収容体と、該収容体の該下面に付設されて該下面を閉塞する切断可能な閉塞片とを備え、
該第二の部材は、上面及び下面は開口されている円筒体から構成されており、該円筒体の内側に該切断手段が配設されており、
該切断手段は、該円筒体の中心に位置する内側先端から半径方向外方に向かって下方に傾斜し、次いで外側先端まで半径方向に向かって上方に傾斜する傾斜切断縁を有する複数個の切断片から構成されており、
該収容体の外周面には被係止手段が配設され、該円筒体の内周面には上方係止手段と下方係止手段とが配設されており、
該第一の部材を該円筒体の該上面を通して該円筒体内に、該閉塞片が該切断手段よりも上方に位置する組み合せ位置まで部分的に挿入すると、該被係止手段と該上方係止手段とが協働して該第一の部材が該円筒体に対して上方に移動することが阻止され、
該第一の部材を該円筒体に対して該組み合せ位置を超えて排出位置まで下降せしめると、該切断手段が該閉塞片に作用して該閉塞片を切断し、該収容体内に収容されていた添加物が該収容体の該下面から排出されると共に、該被係止手段と該下方係止手段とが協働して該第一の部材が該円筒体に対して上方に移動することが阻止され、
該円筒体の該内周面には半径方向内方に延出する環状中間壁が配設されており、該中間壁には該切断片よりも半径方向外側において上方に突出するリングが配設されており、該リングの上端縁は周方向において該切断片と整合する部位が最低で隣接する切断片の中間部位が最高である波形状である、
ことを特徴とするカートリッジ。
【請求項５】
添加物を収容する第一の部材と切断手段を備えた第二の部材とから構成されたカートリッジにして、
該第一の部材は、円形上面壁と該上面壁の周縁から垂下する円筒形側壁とを有し、下面は開口されている収容体と、該収容体の該下面に付設されて該下面を閉塞する切断可能な閉塞片とを備え、
該第二の部材は、上面及び下面は開口されている円筒体から構成されており、該円筒体の内側に該切断手段が配設されており、
該切断手段は、該円筒体の中心に位置する内側先端から半径方向外方に向かって下方に傾斜し、次いで外側先端まで半径方向に向かって上方に傾斜する傾斜切断縁を有する複数個の切断片から構成されており、
該収容体の外周面には被係止手段が配設され、該円筒体の内周面には上方係止手段と下方係止手段とが配設されており、
該第一の部材を該円筒体の該上面を通して該円筒体内に、該閉塞片が該切断手段よりも上方に位置する組み合せ位置まで部分的に挿入すると、該被係止手段と該上方係止手段とが協働して該第一の部材が該円筒体に対して上方に移動することが阻止され、
該第一の部材を該円筒体に対して該組み合せ位置を超えて排出位置まで下降せしめると、該切断手段が該閉塞片に作用して該閉塞片を切断し、該収容体内に収容されていた添加物が該収容体の該下面から排出されると共に、該被係止手段と該下方係止手段とが協働して該第一の部材が該円筒体に対して上方に移動することが阻止され、
該円筒体の該内周面には半径方向内方に延出する環状中間壁が配設されており、該中間壁には該切断片よりも半径方向外側において上方に突出するリングが配設されており、該第一の部材を該円筒体に対して該排出位置まで下降せしめると、該リングが該閉塞片を介して該収容体の該側壁の下端部内周面に密接せしめられる、
ことを特徴とするカートリッジ。
【請求項６】
該切断片の該内側先端と該外側先端とは同高である、請求項４又は５記載のカートリッジ。
【請求項７】
該切断片は等角度間隔をおいて３個乃至８個配設されている、請求項４から６までのいずれかに記載のカートリッジ。
【請求項８】
該円筒体の内面における該切断手段よりも下方の部分には雌螺条が形成されている、請求項１から７までのいずれかに記載のカートリッジ。
【発明の詳細な説明】
【技術分野】
【０００１】
本発明は、容器内に収容されている液体の如き内容物に混入すべき添加物を収容したカートリッジに関する。
【背景技術】
【０００２】
下記特許文献１及び２に開示されている如く、容器内に収容されている内容物(通常は液体)に添加すべき添加物(通常は粉体或いは液体)を蓋に収容し、容器内の内容物を消費する際に蓋を適宜に操作することによって、蓋に収容されている添加物を排出して容器内の内容物に混入することができるように構成することが提案されている。
【先行技術文献】
【特許文献】
【０００３】
【特許文献１】特開２００３−２９２０１３号公報
【特許文献２】特開２００５−０８８９９７号公報
【発明の概要】
【発明が解決しようとする課題】
【０００４】
而して、上述したとおりの従来の提案には、次のとおりの解決すべき問題がある。第一に、蓋自体に添加物を収容するための収容部を一体に形成しているため、内容物を収容している容器とは別個に添加物を流通せしめることができない。第二に、蓋は容器の口頸部を密封するための通常の蓋としても使用され、従って容器の口頸部に装着し続ける故に、長期間に渡って保存され続けると容器内の内容物由来の水分が、蓋の収容部を規定している部位を透過して添加物が湿気により劣化してしまう傾向がある。
【０００５】
本発明は上記のとおりの事実に鑑みてなされたものであり、その主たる技術的課題は、添加物として使用される内容物を収容したカートリッジとして、通常の蓋によって口頸部が密封されている容器とは別個に流通せしめられ、口頸部が開封された容器に適用して容器内の内容物に添加物を添加することができる、新規且つ改良されたカートリッジを提供することである。
【課題を解決するための手段】
【０００６】
本発明者等は、鋭意研究の結果、内容物を収容した独特な形態の第一の部材と切断手段を備えた独特な形態の第二の部材とを組み合わせてカートリッジを構成することによって、上記主たる技術的課題を達成することができることを見出した。
【０００７】
即ち、本発明の第一の局面によれば、上記主たる技術的課題を達成するカートリッジとして、添加物を収容する第一の部材と切断手段を備えた第二の部材とから構成されたカートリッジにして、
該第一の部材は、円形上面壁と該上面壁の周縁から垂下する円筒形側壁とを有し、下面は開口されている収容体と、該収容体の該下面に付設されて該下面を閉塞する切断可能な閉塞片とを備え、
該第二の部材は、上面及び下面は開口されている円筒体から構成されており、該円筒体の内側に該切断手段が配設されており、
該収容体の外周面には被係止手段が配設され、該円筒体の内周面には上方係止手段と下方係止手段とが配設されており、
該被係止手段は周方向に間隔をおいて該収容体の該外周面から上方に向かって半径方向外方に傾斜して延出する複数個のフラップ片から構成されており、該上方係止手段及び該下方係止手段は該円筒体の該内周面に配設された環状突条から構成されており、
該第一の部材を該円筒体の該上面を通して該円筒体内に、該閉塞片が該切断手段よりも上方に位置する組み合せ位置まで部分的に挿入すると、該被係止手段を構成する該フラップ片が弾性的に変形して該上方係止手段を超えてその下方に移動し、該被係止手段と該上方係止手段とが協働して該第一の部材が該円筒体に対して上方に移動することが阻止され、
該第一の部材を該円筒体に対して該組み合せ位置を超えて排出位置まで下降せしめると、該切断手段が該閉塞片に作用して該閉塞片を切断し、該収容体内に収容されていた添加物が該収容体の該下面から排出されると共に、該被係止手段を構成する該フラップ片が弾性的に変形して該下方係止手段を超えてその下方に移動し、該被係止手段と該下方係止手段とが協働して該第一の部材が該円筒体に対して上方に移動することが阻止される、
ことを特徴とするカートリッジが提供される。
本発明の第二の局面によれば、上記主たる技術的課題を達成するカートリッジとして、添加物を収容する第一の部材と切断手段を備えた第二の部材とから構成されたカートリッジにして、
該第一の部材は、円形上面壁と該上面壁の周縁から垂下する円筒形側壁とを有し、下面は開口されている収容体と、該収容体の該下面に付設されて該下面を閉塞する切断可能な閉塞片とを備え、
該第二の部材は、上面及び下面は開口されている円筒体から構成されており、該円筒体の内側に該切断手段が配設されており、
該収容体の外周面には被係止手段が配設され、該円筒体の内周面には上方係止手段と下方係止手段とが配設されており、
該第一の部材を該円筒体の該上面を通して該円筒体内に、該閉塞片が該切断手段よりも上方に位置する組み合せ位置まで部分的に挿入すると、該被係止手段と該上方係止手段とが協働して該第一の部材が該円筒体に対して上方に移動することが阻止され、
該収容体の外周面には半径方向に延出した制限片が分離可能に配設されており、該第一の部材を該組み合せ位置まで該収容体内に挿入すると、該制限片が該円筒体の上縁に当接して、該第一の部材が該組み合せ位置を超えて下降することが阻止され、
該制限片を分離して該第一の部材を該円筒体に対して該組み合せ位置を超えて排出位置まで下降せしめると、該切断手段が該閉塞片に作用して該閉塞片を切断し、該収容体内に収容されていた添加物が該収容体の該下面から排出されると共に、該被係止手段と該下方係止手段とが協働して該第一の部材が該円筒体に対して上方に移動することが阻止される、
ことを特徴とするカートリッジが提供される。
本発明の第三の局面によれば、上記主たる技術的課題を達成するカートリッジとして、添加物を収容する第一の部材と切断手段を備えた第二の部材とから構成されたカートリッジにして、
該第一の部材は、円形上面壁と該上面壁の周縁から垂下する円筒形側壁とを有し、下面は開口されている収容体と、該収容体の該下面に付設されて該下面を閉塞する切断可能な閉塞片とを備え、
該第二の部材は、上面及び下面は開口されている円筒体から構成されており、該円筒体の内側に該切断手段が配設されており、
該切断手段は、該円筒体の中心に位置する内側先端から半径方向外方に向かって下方に傾斜し、次いで外側先端まで半径方向に向かって上方に傾斜する傾斜切断縁を有する複数個の切断片から構成されており、
該収容体の外周面には被係止手段が配設され、該円筒体の内周面には上方係止手段と下方係止手段とが配設されており、
該第一の部材を該円筒体の該上面を通して該円筒体内に、該閉塞片が該切断手段よりも上方に位置する組み合せ位置まで部分的に挿入すると、該被係止手段と該上方係止手段とが協働して該第一の部材が該円筒体に対して上方に移動することが阻止され、
該第一の部材を該円筒体に対して該組み合せ位置を超えて排出位置まで下降せしめると、該切断手段が該閉塞片に作用して該閉塞片を切断し、該収容体内に収容されていた添加物が該収容体の該下面から排出されると共に、該被係止手段と該下方係止手段とが協働して該第一の部材が該円筒体に対して上方に移動することが阻止され、
該円筒体の該内周面には半径方向内方に延出する環状中間壁が配設されており、該中間壁には該切断片よりも半径方向外側において上方に突出するリングが配設されており、該リングの上端縁は周方向において該切断片と整合する部位が最低で隣接する切断片の中間部位が最高である波形状である、
ことを特徴とするカートリッジが提供される。
本発明の第四の局面によれば、上記主たる技術的課題を達成するカートリッジとして、添加物を収容する第一の部材と切断手段を備えた第二の部材とから構成されたカートリッジにして、
該第一の部材は、円形上面壁と該上面壁の周縁から垂下する円筒形側壁とを有し、下面は開口されている収容体と、該収容体の該下面に付設されて該下面を閉塞する切断可能な閉塞片とを備え、
該第二の部材は、上面及び下面は開口されている円筒体から構成されており、該円筒体の内側に該切断手段が配設されており、
該切断手段は、該円筒体の中心に位置する内側先端から半径方向外方に向かって下方に傾斜し、次いで外側先端まで半径方向に向かって上方に傾斜する傾斜切断縁を有する複数個の切断片から構成されており、
該収容体の外周面には被係止手段が配設され、該円筒体の内周面には上方係止手段と下方係止手段とが配設されており、
該第一の部材を該円筒体の該上面を通して該円筒体内に、該閉塞片が該切断手段よりも上方に位置する組み合せ位置まで部分的に挿入すると、該被係止手段と該上方係止手段とが協働して該第一の部材が該円筒体に対して上方に移動することが阻止され、
該第一の部材を該円筒体に対して該組み合せ位置を超えて排出位置まで下降せしめると、該切断手段が該閉塞片に作用して該閉塞片を切断し、該収容体内に収容されていた添加物が該収容体の該下面から排出されると共に、該被係止手段と該下方係止手段とが協働して該第一の部材が該円筒体に対して上方に移動することが阻止され、
該円筒体の該内周面には半径方向内方に延出する環状中間壁が配設されており、該中間壁には該切断片よりも半径方向外側において上方に突出するリングが配設されており、該第一の部材を該円筒体に対して該排出位置まで下降せしめると、該リングが該閉塞片を介して該収容体の該側壁の下端部内周面に密接せしめられる、
ことを特徴とするカートリッジ
【０００８】
該収容体の該外周面における、周方向において該フラップ片の間には半径方向に突出する弧状フランジが配設されており、該第一の部材を該組み合せ位置まで該円筒体内に挿入すると、該弧状フランジと該下方係止手段が協働して、該第一の部材が該組み合せ位置を超えて下降することが弾性的に解除自在に阻止されるのが好適である。該切断片の該内側先端と該外側先端とは同高であり、該切断片は等角度間隔をおいて３個乃至８個配設されているのが好都合である。該円筒体の内面における該切断手段よりも下方の部分には雌螺条が形成されているのが好都合である。
【発明の効果】
【０００９】
本発明のカートリッジによれば、添加物として使用される内容物を収容したカートリッジとして、通常の蓋によって口頸部が密封されている容器とは別個に流通せしめることができる。そして、口頸部が開封された容器に適用して容器内の内容物に添加物を添加することができる。
【図面の簡単な説明】
【００１０】
【図１】本発明に従って構成されたカートリッジの好適実施形態における第一の部材を示す斜面図。
【図２】本発明に従って構成されたカートリッジの好適実施形態における第二の部材を示す斜面図。
【図３】図１に示す第一の部材を図２に示す第二の部材に部分的に挿入して組み合わせ位置にせしめた状態を示す断面図。
【図４】図３の一部を拡大して示す部分拡大断面図。
【図５】図３に示すカートリッジを容器の口頸部に装着した状態を示す断面図。
【図６】図３に示すカートリッジを容器の口頸部に装着した後に、第一の部材の収容体から制限片を分離した状態を示す断面図。
【図７】図３に示すカートリッジを容器の口頸部に装着し、第一の部材の収容体から制限片を分離した後に、第一の部材を排出位置まで下降せしめた状態を示す断面図。
【発明を実施するための形態】
【００１１】
以下、本発明に従って構成されたカートリッジの好適実施形態を図示している添付図面を参照して、更に詳細に説明する。
【００１２】
本発明に従って構成されたカートリッジの好適実施形態は、図１に示す第一の部材２と図２に示す第二の部材４とから構成されている。第一の部材２は、ポリエチレン又はポリプロピレンの如き適宜の合成樹脂から射出成形することができる収容体６、アルミニウム箔、合成樹脂膜或いはアルミニウム箔と合成樹脂膜との積層体から形成することができる閉塞片８（図３を参照されたい）とから構成されている。収容体６は円形上面壁１０とこの上面壁１０の周縁から垂下する円筒形側壁１２とを有し、下面は開口されている。閉塞片８は円板形状であり、収容体６の開口されている下面を通して液体或いは粉体でよい添加物（図示していない)を収容体６内に収容した後に、加熱溶着或いは適宜の接着剤による接着によって収容体６の側壁１２の下端面に接合され、収容体６の下面を閉塞する。
【００１３】
収容体６の側壁１２の外周面には、周方向に間隔をおいて複数個、図示の場合は５個、のフラップ片１４が配設されている。被係止手段を構成するフラップ片１４の各々は、側壁１２の外周面下端から若干だけ半径方向外方に突出し、次いで上方に向かって半径方向外方に傾斜して延出している。周方向においてフラップ片１４間には、側壁１２の外周面下端から半径方向外方に突出する弧状フランジ１６が配設されている。弧状フランジ１６の各々の半径方向突出量はフラップ片１４の下端の半径方向突出量よりも若干大きく設定されている。図示の実施形態においては、周方向においてフラップ片１４間には、周方向に間隔をおいて軸線方向に延びる３個のリブ１８も配設されている。リブ１８の下端は弧状フランジ１６の上面に接続されている。リブ１８の各々の半径方向突出量は、フラップ片１４の下端の半径方向突出量よりも幾分小さい。収容体６の側壁１２の上半部には、半径方向外方に延出する制限片２０が、複数個の破断可能接続片２１を介して分離自在に接続されている。
【００１４】
図２と共に図３を参照して説明を続けると、ポリエチレン或いはポリプロピレンの如き適宜の合成樹脂から射出成形することができる第二の部材４は全体として円筒形状であり、その上面及び下面は開口されている円筒体２２から構成されている。円筒体２２の上半部２４の外径及び内径は下半部２６の外径及び内径よりも若干小さく設定されている。上半部２４の外周面には周方向に間隔をおいて軸線方向に延びる多数の突条から構成されたローレット２８が形成されている。上半部２４の内周面にはその上端部に位置する環状突条３０とこの環状突条３０よりも所定距離だけ下方に位置する環状突条３２が形成されている。環状突条３０の半径方向突出量と環状突条３２の半径方向突出量とは実質上同一でよい。環状突条３０と環状突条３２との軸線方向間隔は、上記収容体６に配設されているフラップ片１４の軸線方向長さに対応せしめられている。環状突条３０は上方係止手段を構成し、環状突条３２は下方係止手段を構成する。円筒体２２の下半部２６の内周面には雌螺条３４が形成されている。
【００１５】
円筒体２２の上半部２４と下半部２６との境界領域には切断手段３６が配設されている。図示の実施形態においては、上記境界領域には円筒体２２の内周面から半径方向内方に突出した円環状底壁３８が形成されると共に、半径方向中心から円筒体２２の内周面まで放射状に延びる複数個、図示の場合は６個、の放射片４０が付設されている。そして、放射片４０の各々の上面には、切断手段３６を構成する切断片４２が形成されている。切断片４２の各々は、円筒体２２の中心に位置する鋭い内側先端４４、内側先端４４から半径方向外方に離隔して位置する鋭い外側先端４６、内側先端４４から半径方向外側に向かって下方に傾斜し次いで外側先端４６まで半径方向外方に向かって上方に傾斜して延びる鋭い傾斜切断縁４８を有する。図示の実施形態においては、６０度の等角度間隔をおいて配設された６個の切断片４２から切断手段３６を構成しているが、所望ならば２乃至５個又は７個以上の切断片から切断手段を構成することもできる。等角度間隔を置いて配設された３個乃至８個の切断片から切断手段３６を構成するのが好適である。切断片４２の各々における内側先端４４と外側先端４６とは、相互に高さを相異せしめることも可能であるが、同高であるのが好適である。図２を参照することによって明確に理解される如く、切断片４２の各々の上半部は下方に向かって漸次幅が増大せしめられている。
【００１６】
上記円環状底壁３８の上面には、切断片４２から半径方向外方に若干の間隔をおいて上方に突出するリング５０も配設されている。図２を参照することによって明確に理解される如く、リング５０の上端縁は波形状であり、周方向において切断片４２と整合する部位で最低であり隣接する切断片４２の中間部位で最高である。上記環状中間壁３８の下面には、下方に突出する環状シール片５２とこの環状シ−ル片５２よりも半径方向外側に位置する環状突条５４とが配設されている。
【００１７】
図１乃至図３を参照して説明を続けると、上述した第一の部材２と第二の部材４とは図３に図示するとおりに組み合わせて流通される。詳述すると、第二の部材４を構成する円筒体２２の開口した上面を通して第一の部材２を円筒体２２内に挿入し、第一の部材２の略下半部が円筒体２２内に位置する図３に図示する状態、即ち組み合せ位置に位置せしめる。この際には、図３と共に図４を参照することによって明確に理解される如く、収容体６の外周面下端に配設されている弧状フランジ１６が上方係止手段を構成する環状突条３０を弾性的に乗り越えて下方に移動し、次いでフラップ片１４が弾性的に半径方向内方に変位せしめられて環状突条３０を乗り越えて下方に移動する。第一の部材２が図３及び図４に図示する組み合わせ位置まで下降せしめられると、フラップ片１４が環状突条３０を通過し弾性的に元の状態に復元する。この時には、フラップ片１４の弾性的復元することに起因して音が生成され、第一の部材２が組み合せ位置まで下降せしめられたことを認識することができる。第一の部材２が組み合わせ位置まで下降せしめられ、フラップ片１４が元の状態に復元せしめられると、被係止手段を構成するフラップ片１４と上方係止手段を構成する環状突条３０との協働によって、円筒体２２に対して第一の部材２が上方に移動することが阻止される。フラップ片１４間には軸線方向に延びるリブ１８が設けられているため、円筒体２２に対する第一の部材２の偏心が抑制され、フラップ片１４の環状突条３０への係止が充分に安定して確立される。第一の部材２が組み合せ位置まで下降せしめられると、第一の部材２における収容体６の外周面に配設されている制限片２０の下端縁が第二の部材４を構成する円筒体２２の上端に当接し、これによって第一の部材２が更に下降することが阻止される。加えて、収容体６の下端に配設されている弧状フランジ１６が下方係止手段を構成する環状突条３２に係合し、これによっても第一の部材２が更に下降することが弾性的に阻止される。
【００１８】
カートリッジを購入した消費者が収容体６内に収容されている添加物を消費する際の典型的消費様式は、次のとおりである。図５に図示する如く、例えば天然水の如き液体である内容物を収容している適宜の容器、例えばポリエチレンテレフタレート製の容器の口頸部５６に装着されている容器蓋（図５にそのタンパーエビデント裾部５８のみを図示している)を、そのタンパーエビデント裾部５８のみを残留せしめて、口頸部５６から離脱せしめる。周知の形態でよい容器の口頸部５６の外周面には雄螺条６０とこの雄螺条６０の下方に位置する係止あご部６２とが形成されている。容器蓋は、天面壁とこの天面壁の周縁から垂下するスカート壁とを有し、スカート壁には周方向破断ラインが形成されていて、スカート壁は周方向破断ラインよりも上方の主部と周方向破断ラインよりも下方のタンパーエビデント裾部５８とに区画されており、スカート壁の主部内周面には口頸部５６の雄螺条６０に螺合せしめられる雌螺条が形成され、タンパーエビデント裾部５８の内周面には口頸部５６の係止あご部６２に係止される係止手段が形成されており、口頸部５６を開封する際には周方向破断ラインが破断される形態のものでよい。
【００１９】
次いで、図５に図示する如く、第二の部材４を構成する円筒体２２の下半部２６を容器の口頸部５６に被嵌し、図５において上方から見て時計方向に第二の部材４(及び第一の部材２)を回転せしめて、円筒体２２の下半部２６の内周面に形成されている雌螺条３４を口頸部５６の雄螺条６０に螺合せしめる。雌螺条３４と雄螺条６０とを所要とおりに螺合せしめると、図５に図示する如く、円筒体２２に配設されている環状中間壁３８の下面に形成されている環状突条５４が口頸部５６の頂面に当接せしめられる。そしてまた、環状中間壁３８の下面に形成されている環状シール片５２が口頸部５６内に進入し、これによって口頸部５６がシールされる。
【００２０】
次いで、図６に図示する如く、第一の部材２の収容体６に配設されている制限片２０を、破断可能接続片２１を破断することによって収容体６から分離する。しかる後に、収容体６の上面壁１０を押圧して第一の部材２を図７に図示する排出位置まで下降せしめる。この際には、収容体６の外周面下端に配設されている弧状フランジ１６が下方係止手段を構成する環状突条３２を弾性的に乗り越えて下方に移動し、次いでフラップ片１４が弾性的に半径方向内方に変位せしめられて環状突条３２を乗り越えて下方に移動する。第一の部材２が図７に図示する排出位置まで下降せしめられると、フラップ片１４が環状突条３２を通過し弾性的に元の状態に復元する。この時には、フラップ片１４の弾性的復元することに起因して音が生成され、第一の部材２が排出位置まで下降せしめられたことを認識することができる。第一の部材２が排出位置まで下降せしめられ、フラップ片１４が元の状態に復元せしめられると、被係止手段を構成するフラップ片１４と下方係止手段を構成する環状突条３２との協働によって、円筒体２２に対して第一の部材２が上方に移動することが阻止される。加えて、第一の部材２が図７に図示する排出位置まで下降せしめられる際には、円筒体２２に配設されている切断手段３６が、収容体６の側壁１２の下端に接合されている閉塞片８に作用して閉塞片８を切断する。更に詳しくは、切断手段３６を構成する切断片４２の各々は、半径方向に離隔して位置する内側先端４４及び外側先端４６から閉塞片８に作用し始め、これによって閉塞片８の弛みを充分に抑制し、充分容易に且つ過大な力を必要とすることなくて閉塞片８を破断する。円筒体２２に対して収容体６が図７に図示する位置まで下降せしめられると、円筒体２２に配設されているリング５０が切断された閉塞片８を介して収容体６の内周面下部に密接せしめられ、これによって収容体６の下端内周面が密封される。切断手段３６によって切断された閉塞片８は、リング５０に案内されて上方に変位され、かくして収容体６内から容器の口頸部５６内に通じる排出路が生成され、収容体６内に収容されていた内容物即ち添加物が容器内に収容されている内容物に混入される。
【００２１】
収容体６内に収容されていた添加物の実質上全てが排出されて容器内に収容されている内容物に混入された後においては、必要に応じて容器を適宜に振って添加物を内容物に充分に混合し、しかるに後に第二の部材４を図７において上方から見て反時計方向に回転せしめて第二の部材４及び第一の部材２を容器の口頸部５６から離脱せしめ、容器内の内容物を消費することができる。
【符号の説明】
【００２２】
２：第一の部材
４：第二の部材
６：収容体
８：閉塞片
１０：収容体の上面壁
１２：収容体の側壁
１４：フラップ片（被係止手段）
１６：弧状フランジ
２０：制限片
２２：円筒体
３０：環状突条（上方係止手段）
３２：環状突条（下方係止手段）
３６：切断手段
４２：切断片
４４：内側先端
４６：外側先端
４８：切断縁
５０：リング
【図１】
0005893851.tif 000002
【図２】
0005893851.tif 000003
【図３】
0005893851.tif 000004
【図４】
0005893851.tif 000005
【図５】
0005893851.tif 000006
【図６】
0005893851.tif 000007
【図７】
0005893851.tif 000008